(57)【特許請求の範囲】
【請求項１】
支持線と光ケーブルとが連結部で連結、一体化され、前記連結部に支持線の長手方向に沿って断続的に多数の分離部が形成され、この分離部において光ケーブルが支持線に対してたるみを持った状態とされた架空光ケーブルであって、
前記光ケーブルが、スロット上に押え巻きが設けられた光ケーブルコアの上にシースが設けられたものであり、
前記押え巻きが、高摩擦押え巻きテープまたは粘着性押え巻きテープからなり、かつ高摩擦性付与面または粘着性付与面が、前記スロットまたはシースに接触するように設けられていることを特徴とする架空光ケーブル。
【請求項２】
前記高摩擦押え巻きテープは、片面または両面が高摩擦性付与面とされ、その摩擦係数が０．４以上であることを特徴とする請求項１に記載の架空光ケーブル。
【請求項３】
前記粘着性押え巻きテープは、片面または両面が粘着性付与面とされ、この粘着性付与面が粘着剤が塗布されたものであることを特徴とする請求項１に記載の架空光ケーブル。
【請求項４】
前記粘着剤は、ゴム、ポリイソブチレン、アクリル樹脂のうち少なくとも１つを含む感圧型接着剤であることを特徴とする請求項３に記載の架空光ケーブル。
【発明の詳細な説明】
【０００１】
【発明の属する技術分野】
本発明は、支持線と光ケーブルとが連結部で連結、一体化され、かつ光ケーブルにたるみ（余長）を持たせた自己支持型の架空光ケーブルに関し、特に、光ケーブルコアまたはスロットの端部が、シース端部に対して突きだしまたは飲み込まれた状態となることがない架空光ケーブルを提供することを目的とする。
【０００２】
【従来の技術】
従来、この種の架空光ケーブルとして、例えば図１および図２に示す構造のものがある。この架空光ケーブルは支持線１１と連結部１２と光ケーブル１３とから概略構成されている。
支持線１１は、亜鉛メッキ鋼撚線などからなる支持線本体１４と、この支持線本体１４を被覆するポリエチレンなどの合成樹脂からなる被覆体１５とから構成されている。
【０００３】
光ケーブル１３は、多数本の光ファイバ心線が収容されたケーブルコア１６と、このケーブルコア１６を被覆するポリエチレンなどの合成樹脂からなるシース１７とからなっている。
【０００４】
光ケーブルコア１６は、スロット１６ａの上に押え巻き１６ｅが設けられた構造を有するもので、スロット１６ａは、その中心に抗張力線１６ｂを備え、外周に、長手方向に沿う複数本のＵ字状の溝１６ｃを有する。溝１６ｃ内には、光ファイバテープ心線１６ｄを複数集合した積層体がそれぞれ収納されている。
【０００５】
連結部１２は、支持線１１と光ケーブル１３とを連結、一体化し、これにより光ケーブル１３を支持線１１で吊持するためのもので、支持線１１の底部から垂下し光ケーブル１３の頂部に延びる連続した厚みが１〜４ｍｍ程度の壁状のものであり、ポリエチレンなどの合成樹脂から構成されている。
上記連結部１２には、支持線１１に沿って断続的に切り開かれた多数のスリット状の分離部１８，１８…が形成されている。この分離部１８の長さは例えば５０ｃｍ程度とされ、相隣接する分離部１８，１８間の間隔は例えば５ｃｍ程度となっている。この分離部１８の長さ、間隔は任意に変更できる。
【０００６】
さらに、この連結部１２の分離部１８，１８…の形成位置において光ケーブル１３にはたるみが持たされており、かつこのたるみは支持線１１の側方にほぼ交互に方向を変えて形成されている。換言すれば、光ケーブル１３は直線状の支持線１１に対して左右方向に蛇行した状態となっており、この光ケーブル１３の蛇行により支持線１１に対して光ケーブル１３が約０．１〜０．７％程度の余長（たるみ）を持つこととなる。この構造により、この架空光ケーブルは光ケーブル１３に引張力やこれによる歪が加わることがないかあるいは低減するものとなっている。
【０００７】
【発明が解決しようとする課題】
しかしながら、上記例の架空光ケーブルでは、光ケーブル１３が支持線１１に対してたるみを持った状態とされているため、光ケーブル１３内のスロット１６ａの弾性力によって、光ケーブルコア１６またはスロット１６ａがシース１７に対して長手方向に移動し、その端部がシース１７から突き出した状態となることがあった。また外気温の変化等によってシース１７が伸縮することなどによって、光ケーブルコア１６またはスロット１６ａの端部が、シース１７端部から突き出した状態、またはシース１７に飲み込まれた状態となってしまうことがあった。
本発明は、上記事情に鑑みてなされたもので、光ケーブルコアまたはスロットの端部がシース端部に対して突き出し、または飲み込まれた状態となることがない架空光ケーブルを提供することを目的とする。
【０００８】
【課題を解決するための手段】
上記課題は、支持線と光ケーブルとが連結部で連結、一体化され、前記連結部に支持線の長手方向に沿って断続的に多数の分離部が形成され、この分離部において光ケーブルが支持線に対してたるみを持った状態とされ、前記光ケーブルが、スロット上に押え巻きが設けられた光ケーブルコアの上にシースが設けられたものであり、前記押え巻きが、高摩擦押え巻きテープまたは粘着性押え巻きテープからなり、かつ高摩擦性付与面または粘着性付与面が、前記スロットまたはシースに接触するように設けられていることを特徴とする架空光ケーブル。
前記高摩擦押え巻きテープは、片面または両面が高摩擦性付与面とされ、その摩擦係数が０．４以上であることが好ましい。
前記粘着性押え巻きテープは、片面または両面が粘着性付与面とされ、この粘着性付与面が粘着剤が塗布されたものであることが好ましい。
粘着剤には、ゴム、ポリイソブチレン、アクリル樹脂のうち少なくとも１つを含む感圧型接着剤を用いることができる。
【０００９】
【発明の実施の形態】
本発明の架空光ケーブルが従来の架空光ケーブルと異なるのは、押え巻きが、高摩擦押え巻きテープまたは粘着性押え巻きテープからなるものである点である。
高摩擦押え巻きテープとしては、ゴム等の表面の摩擦性が高い材料からなるものを用いてよい。
この他、高摩擦押え巻きテープとしては、厚さ０．２〜０．３ｍｍのテープ材料の片面または両面に、ゴムなどの高摩擦性付与剤が０．０１〜０．０５ｍｍ程度の厚さになるように塗布されたもの（以下、片面高摩擦押え巻きテープ、両面高摩擦押え巻きテープと記すことがある。）を用いてもよい。この高摩擦押え巻きテープに用いられるテープ材料としては、布（不織布等）、セロハン、紙（クラフト紙等）、加硫ゴム、ポリ塩化ビニル、ポリエチレンなどが挙げられる。
【００１０】
上記高摩擦押え巻きテープの高摩擦性付与面の摩擦係数（ＡＳＴＭ  Ｄ１８９４準拠）は、０．４以上とするのが好ましい。この摩擦係数が０．４未満であると、光ケーブルコア１６またはスロット１６ａを十分に固定することができないため好ましくない。
【００１１】
粘着性押え巻きテープとしては、厚さ０．２〜０．３ｍｍのテープ材料の片面または両面に、粘着剤が０．０１〜０．０５ｍｍ程度の厚さになるように塗布され、ケーブル工事の作業性を損なわない程度の粘着性が付与されたものとするのが好適である（以下、片面粘着性押え巻きテープ、両面粘着性押え巻きテープと記すことがある。）。
この粘着剤としては、一般に粘着テープに用いられるゴム、ポリイソブチレンやアクリル樹脂などの合成樹脂などを主材とする感圧型接着剤が好適である。上記粘着性押え巻きテープに用いられるテープ材料としては、布（不織布等）、セロハン、紙（クラフト紙等）、加硫ゴム、ポリ塩化ビニル、ポリエチレンなどが挙げられる。
【００１２】
以下、図１に示された架空光ケーブルを例として、本発明を詳細に説明する。この架空光ケーブルにおいて、押え巻き１６ｅは、高摩擦押え巻きテープまたは粘着性押え巻きテープが、光ケーブルコア１６のスロット１６ａ上に隙間なく巻き付けられて構成されている。上記高摩擦押え巻きテープまたは粘着性押え巻きテープとしては、片面または両面の高摩擦押え巻きテープ、または両面または片面の粘着性押え巻きテープが用いられるが、両面タイプのものであることがより好ましい。
【００１３】
この押え巻き１６ｅの外面側が高摩擦性付与面または粘着性付与面である場合には、押え巻き１６ｅとシース１７との接触面において、シース１７が押え巻き１６ｅに対して位置決め、固定される。また押え巻き１６ｅの内面側が高摩擦性付与面または粘着性付与面である場合には、押え巻き１６ｅとスロット１６ａとの接触面において、スロット１６ａが押え巻き１６ｅに対して位置決め、固定される。
【００１４】
上記例の架空光ケーブルにあっては、光ケーブル１３が、スロット１６ａ上に押え巻き１６ｅが設けられた光ケーブルコア１６の上にシース１７が設けられたものであり、押え巻き１６ｅが、高摩擦押え巻きテープまたは粘着性押え巻きテープからなるものであるので、シース１７またはスロット１６ａが押え巻き１６ｅとの接触面において押え巻き１６ｅに対して位置決め、固定される。従って、光ケーブルコア１６またはスロット１６ａの端部がシース１７端部に対して突き出し、または飲み込まれた状態となることがない。
【００１５】
【実施例】
（実施例１）
図１に示す構造の架空光ケーブルを作製した。鋼撚線からなる抗張力線１６ｂを有するスロット１６ａの溝１６ｃ内に、光ファイバテープ心線１６ｄを３枚積層した積層体を配し、スロット１６ａの外周に、押え巻き１６ｅを配し、光ケーブルコア１６とした。上記押え巻き１６ｅとしては、厚さ０．２ｍｍの不織布の両面に、ゴムを厚さ０．０２ｍｍになるように塗布した高摩擦押え巻きテープを用いた。この高摩擦性付与面（ゴム塗布面）の摩擦係数（ＡＳＴＭ  Ｄ１８９４準拠）は、０．５であった。
この光ケーブルコア１６と、亜鉛メッキ鋼撚線からなる支持線本体１４とを、ポリエチレンを用いて一括押出被覆し、支持線１１と光ケーブル１３とを連結部１２で一体化し、光ケーブル１３が支持線１１に対してたるみを持つ架空光ケーブルを得た。
【００１６】
（実施例２）
上記押え巻き１６ｅとして、厚さ０．２ｍｍの不織布の両面に、粘着剤（ポリイソブチレン）を厚さ０．０２ｍｍとなるように塗布した粘着性押え巻きテープを用いたこと以外は、実施例１と同様にして架空光ケーブルを作製した。
【００１７】
（比較例）
上記押え巻き１６ｅとして厚さ０．２ｍｍの、摩擦性、粘着性を付与していない不織布を用いたこと以外は、実施例１と同様にして架空光ケーブルを作製した。
【００１８】
上述の実施例１、２および比較例の架空光ケーブルを各々１０本ずつ用意し、これらを低温（−３０℃）および高温（７０℃）に５００分ずつ曝し、この低温および高温のサイクルを３回繰り返した後、光ケーブルコア１６またはスロット１６ａ端部がシース１７端部に対して突き出しまたは飲み込まれているかどうかを観察した。
【００１９】
上記試験の結果、実施例１および２においては、いずれも光ケーブルコア１６またはスロット１６ａの突き出しまたは飲み込みが観察されなかった。また、比較例においては、１０本の架空光ケーブルのうちすべてのものにおいて光ケーブルコア１６またはスロット１６ａの突き出しまたは飲み込みが観察された。
【００２０】
【発明の効果】
本発明の架空光ケーブルにあっては、光ケーブルが、スロット上に押え巻きが設けられた光ケーブルコアの上にシースが設けられたものであり、押え巻きが、高摩擦押え巻きテープまたは粘着性押え巻きテープからなるものであるので、シースまたはスロットが押え巻きとの接触面において押え巻きに対して位置決め、固定される。従って、光ケーブルコアまたはスロットの端部がシース端部に対して突き出し、または飲み込まれた状態となることがない。
【図面の簡単な説明】
【図１】本発明の架空光ケーブルの例を示す断面図である。
【図２】図１に示す架空光ケーブルを示す斜視図である。
【符号の説明】
１１…支持線、１２…連結部、１３…光ケーブル、１４…支持線本体、
１６…ケーブルコア、１６ａ・・・スロット、１６ｅ・・・押え巻き、１７・・・シース
１８・・・分離部
【図１】
0003571500.tif 000002
【図２】
0003571500.tif 000003